【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
１つ又は複数の端末と、
時空間ブロック符号を使用して前記１つ又は複数の端末に情報担持信号を無線通信する少なくとも２つの基地局と、
を備え、
少なくとも２つ以上の前記基地局によって送信された少なくとも１つの前記情報担持信号を含み、
時空間ブロック符号の少なくとも一つは、誘導符号から作成され、
前記誘導符号は、少なくとも２つ以上の前記基地局によって、共有のアプリケーションのためのベースラインコードの組織的変換を用いて作成され、
少なくとも２つ以上の前記基地局によって無線通信され、
少なくとも２つ以上の基地局によって送信することが可能な情報信号ベクトルのグループをブロックに分割し、
処理が行われたブロックを情報信号ベクトルに再結合するより前に、部分的に、それぞれのブロックに別々に変換することによって、前記ブロックを別々に処理し、
前記情報信号ベクトルは、その関連付けられた基地局によって投影され、
前記誘導符号によって指定された少なくとも２つ以上の基地局によって、前記変換は、それぞれのブロックに適用される無線通信システム。
【請求項２】
前記少なくとも２つの基地局が、非同期時空間コーディングされた送信として前記情報担持信号を通信する、請求項１に記載のシステム。
【請求項３】
前記少なくとも２つの基地局が、１つ又は複数の送信アンテナを有する、請求項１に記載のシステム。
【請求項４】
１つ又は複数の端末と、
時空間ブロック符号を使用して前記１つ又は複数の端末に情報担持信号を無線通信する少なくとも２つの基地局と、
を備え、
少なくとも２つ以上の前記基地局によって送信された少なくとも１つの前記情報担持信号を含み、
前記時空間ブロック符号は、誘導符号及びベースライン符号から作成され、
さらに、少なくとも一つの基地局は、符号器を含み、
前記符号器は、前記ベースラインコードによって符号化されたあらゆるスカラー情報記号のための前記誘導符号を使用し、前記多重記号のブロックベクトルを符号化し、
前記多重信号のブロックを複数のブロックに分割し、
処理が行われたブロックを情報信号ベクトルに再結合するより前に、部分的に、それぞれのブロックに別々に変換することによって、前記複数のブロックを別々に処理し、
前記情報信号ベクトルは、少なくとも一つの基地局によって投影され、
前記誘導符号によって指定された前記複数のブロックのそれぞれに適用される無線通信システム。
【請求項５】
１つ又は複数の端末と、
直交時空間ブロック符号を使用して前記１つ又は複数の端末に情報担持信号を無線通信する少なくとも２つの基地局と、
を備え、
前記直交時空間ブロック符号は、誘導符号及びベースライン符号から作成され、
さらに、前記誘導符号は、以下のように、前記ベースライン符号の各スカラー項目をベクトルに置換することによって生成され、
ゼロと等しい項目が、ゼロのベクトルによって置換され、
前記ベースライン符号のスカラ情報記号と等しい項目が、前記誘導符号の情報記号の関連するブロックベクトルに、固定された第１ユニタリ行列を乗算することと、その後、結果のベクトルの前に循環プレフィックスを付加することとによって生成されたベクトルによって置換され、
前記ベースライン符号のスカラ情報記号の負数と等しい項目が、前記誘導符号の情報記号の関連するブロックベクトルに、前記第１ユニタリ行列を乗算することと、その後、結果のベクトルの前に前記循環プレフィックスを付加することとによって生成されたベクトルの要素ごとの負数によって置換され、
前記ベースライン符号のスカラ情報記号の複素共役と等しい項目が、前記誘導符号の情報記号の前記関連するブロックベクトルに、固定された第２ユニタリ行列を乗算することと、その後、結果のベクトルの前に前記循環プレフィックスを付加することとによって生成されたベクトルの要素ごとの共役によって置換され、
前記ベースライン符号のスカラ情報記号の複素共役の負数と等しい項目が、前記誘導符号の情報記号の前記関連するブロックベクトルに、前記第２ユニタリ行列を乗算することと、その後、結果のベクトルの前に前記循環プレフィックスを付加することとによって生成されたベクトルの共役の要素ごとの負数によって置換されるように、
前記ベースライン符号の各スカラ項目をベクトルに置換することによって生成される無線通信システム。
【請求項６】
前記第２行列が、次元Ｍ行Ｍ列の第１行列、次元Ｍ行Ｍ列の第２行列、ＤＦＴ行列の逆行列、及び前記第１ユニタリ行列の積と等しく、前記第１行列が、ＤＦＴ行列であり、前記Ｍは、整数である、請求項５に記載のシステム。
【請求項７】
前記第２行列が、第１項目を除く第１行のすべての項目が０と等しく、最後の項目を除く第２行のすべての項目が０と等しい形を有し、さらに、各後続行について、１つの項目を除くすべての項目が０と等しく、非ゼロ項目のインデックスが、先行する行の非ゼロ項目のインデックスより１つ小さく、前記第２行列のすべての非ゼロ項目が、１と等しい大きさを有する複素数値数である、請求項５に記載のシステム。
【請求項８】
前記第１ユニタリ行列が、Ｍ行Ｍ列の正規化されたＤＦＴ行列であり、前記Ｍは、整数である、請求項７に記載のシステム。
【請求項９】
複数の基地局で時空間ブロック符号を用いて情報担持信号のセットを複数回符号化するステップと、
前記符号化された情報担持信号を１つ又は複数の端末に無線送信するステップと
を含み、
時空間ブロック符号の少なくとも一つは、誘導符号から作成され、
前記誘導符号は、ベースライン符号の組織的変換を用いて作成され、
多数の基地局によって送信することが可能な情報信号ベクトルのグループをブロックに分割し、
処理が行われたブロックを情報信号ベクトルに再結合するより前に、部分的に、それぞれのブロックに別々に変換することによって、前記ブロックを別々に処理し、
前記情報信号ベクトルは、その関連付けられた基地局によって投影され、
前記誘導符号によって指定された前記各複数の基地局によって、前記変換は、それぞれのブロックに適用される無線通信方法。
【請求項１０】
前記符号化された情報担持信号を、非同期時空間コーディングされた送信として発生する１つ又は複数の端末に無線送信する請求項９に記載の無線通信方法。
【請求項１１】
情報記号ベクトルを並列に提供する入力装置と、
前記入力装置に結合された符号器であって、時空間ブロック符号を使用して情報記号ベクトルを並列に符号化するために複数の処理経路を有する、符号器と、
並列に受け取られた前記複数の処理経路の出力を直列の形に変換する並列直列変換器と、
を備え、
前記少なくとも１つの時空間ブロック符号は、誘導符号から作成され、
前記誘導符号は、ベースライン符号の組織的変換を用いて作成され、
情報信号ベクトルのグループをブロックに分割し、
処理が行われたブロックを情報信号ベクトルに再結合するより前に、部分的に、それぞれのブロックに別々に変換することによって、前記ブロックを別々に処理し、
前記誘導符号によって指定された少なくとも２つ以上の基地局によって、前記変換は、それぞれのブロックに適用される送信器
【請求項１２】
前記複数の経路は、第１経路、第２経路、及び第２循環プレフィックスユニットを備え、
前記第１経路は、
情報記号の第１セットを変換するＮ点ＩＤＦＴと、
変換された情報記号の前記第１セットにプレフィックスを追加する第１循環プレフィックスユニットであって、前記第１循環プレフィックスユニットの出力が、前記並列直列変換器の第１入力に結合される、第１循環プレフィックスユニットと、を有し、
前記第２経路は、
情報記号の第２セットを変換するＮ点ＩＤＦＴと、
情報信号の変換された第２セットに第１行列を射影する射影ユニットと、
情報信号の前記変換された第２セットに第１行列を射影することから生じる第１行列に対して共役演算を実行する共役ユニットと、を有し、
第２循環プレフィックスユニットは、変換された情報記号の前記共役化された第２セットにプレフィックスを追加する第２循環プレフィックスユニットであって、前記第２循環プレフィックスユニットの出力が、前記並列直列変換器の第２入力に結合される、
請求項１１に記載の送信器。
【請求項１３】
前記並列直列変換器の直列出力を受け取り、ＲＦ信号を生成するように結合されたモデムと、
前記ＲＦ信号を送信するために前記モデムに結合されたアンテナと
をさらに備える、請求項１２に記載の送信器。
【請求項１４】
受信器で、宛先の複数の基地局からの直交時空間ブロック符号を使用して符号化された情報担持記号の複数のセットを受信するステップと、
前記複数のセットの受信が同時には発生しない場合であっても、前記情報担持記号を入手するために、前記複数のセットを復号し、復号の結果を集計するステップと
を含み、
前記セットは、前記複数の基地局のから同一であり、
少なくとも１つの前記時空間ブロック符号は、誘導符号から生成され、
前記誘導符号は、ベースラインコードの組織的変換を用いて生成され、
前記誘導符号は、情報信号ベクトルの複数のブロックのそれぞれに別々に適用される、変換を指定する方法。
【請求項１５】
前記受信される信号が、（帯域）フィルタリングされ、ダウンコンバートされ、ボーレートでサンプリングされ、その後、復号のためにブロックに区分される、請求項１４に記載の方法。
【請求項１６】
ブロックごとに循環プレフィックスを除去するステップをさらに含む、請求項１５に記載の方法。
【請求項１７】
前記各ブロック内の残りの項目のそれぞれを２つの実数値項目すなわちその実部及び虚部に置換するステップをさらに含む、請求項１６に記載の方法。